(57)【要約】  電子装置（１０）は、利用者情報を用いてネットワーク（５０）に通信可能に接続する第１の通信部（１１）と、第２の電子装置（２０）と通信可能に接続する第２の通信部（１４）と、前記第１の通信部による前記ネットワークを介したデータ取得に際して、当該データに基づいて、当該データの取得を前記第２の電子装置（２０）により行なうべきか否かを判定する判定部（１０２）と、前記判定部が、当該データの取得を前記第２の電子装置により行なうべきであると判定した場合に、前記第２の通信部を介して前記第２の電子装置に前記利用者情報を送信する利用者情報送信部（１０４）と、前記第１の通信部による前記ネットワークとの通信を抑止するとともに、前記第２の電子装置に、前記利用者情報を用いて前記ネットワークを介して前記データの取得を行なわせる移行部（１０５）と、をそなえる。
2013011558.tif 000002
【特許請求の範囲】
【請求項１】
第１の電子装置と第２の電子装置とをそなえるシステムであって、
前記第１の電子装置が、
利用者情報を用いてネットワークに通信可能に接続する第１の通信部と、
前記第２の電子装置と通信可能に接続する第２の通信部と、
前記第１の通信部による前記ネットワークを介したデータ取得に際して、当該データに基づいて、当該データの取得を前記第２の電子装置により行なうべきか否かを判定する判定部と、
前記判定部が、当該データの取得を前記第２の電子装置により行なうべきであると判定した場合に、前記第２の通信部を介して前記第２の電子装置に前記利用者情報を送信する利用者情報送信部と、
前記第１の通信部による前記ネットワークとの通信を抑止するとともに、前記第２の電子装置に、前記利用者情報を用いて前記ネットワークを介して前記データの取得を行なわせる移行部とをそなえ、
前記第２の電子装置が、
前記利用者情報を用いて前記ネットワークに通信可能に接続する第３の通信部と、
前記第１の電子装置と通信可能に接続する第４の通信部と、
前記利用者情報送信部によって送信される前記利用者情報を受信する利用者情報受信部と、
前記利用者情報を用いて前記ネットワークを介して前記データを取得する受信処理部と、
をそなえることを特徴とするシステム。
【請求項２】
前記第１の電子装置が、前記利用者情報を記憶する第１の記憶部をそなえ、
前記移行部が、前記第２の電子装置に前記利用者情報を用いて前記データの取得を行なわせる際に、前記第１の記憶部の前記利用者情報を無効化することを特徴とする、
請求項１記載のシステム。
【請求項３】
前記第２の通信装置が受信した前記利用者情報を記憶する第２の記憶部をそなえ、
前記受信処理部による前記データ取得終了後に、前記第１の電子装置に対して通知を行なうとともに、前記第２の記憶部の前記利用者情報を無効化することを特徴とする、
請求項１又は２記載のシステム。
【請求項４】
前記判定部が、前記データの種類に基づいて、前記データの取得を前記第２の電子装置により行なうべきか否かを判定することを特徴とする、
請求項１〜３のいずれか１項記載のシステム。
【請求項５】
前記第２の通信部と前記第４の通信部とが端末間無線通信を行なうことを特徴とする、
請求項１〜４いずれか１項記載のシステム。
【請求項６】
前記第１の通信部による前記ネットワークとの通信帯域幅よりも、前記第３の通信部による前記ネットワークとの通信帯域幅のほうが広いことを特徴とする、
請求項１〜５いずれか１項記載のシステム。
【請求項７】
利用者情報を用いてネットワークに通信可能に接続する第１の通信部と、
第２の電子装置と通信可能に接続する第２の通信部と、
前記第１の通信部による前記ネットワークを介したデータ取得に際して、当該データに基づいて、当該データの取得を前記第２の電子装置により行なうべきか否かを判定する判定部と、
前記判定部が、当該データの取得を前記第２の電子装置により行なうべきであると判定した場合に、前記第２の通信部を介して前記第２の電子装置に前記利用者情報を送信する利用者情報送信部と、
前記第１の通信部による前記ネットワークとの通信を抑止するとともに、前記第２の電子装置に、前記利用者情報を用いて前記ネットワークを介して前記データの取得を行なわせる移行部と、
をそなえることを特徴とする電子装置。
【請求項８】
前記利用者情報を記憶する第１の記憶部をそなえ、
前記移行部が、前記第２の電子装置に前記利用者情報を用いて前記データの取得を行なわせる際に、前記第１の記憶部の前記利用者情報を無効化することを特徴とする、
請求項７記載の電子装置。
【請求項９】
前記判定部が、前記データの種類に基づいて、前記データの取得を前記第２の電子装置により行なうべきか否かを判定することを特徴とする、
請求項７又は８記載の電子装置。
【請求項１０】
前記第２の通信部が、端末間無線通信を行なうことを特徴とする、
請求項７〜９のいずれか１項記載の電子装置。
【請求項１１】
前記第１の通信部による前記ネットワークとの通信帯域幅よりも、前記第２の電子装置と前記ネットワークとの通信帯域幅のほうが広いことを特徴とする、
請求項７〜１０いずれか１項記載の電子装置。
【請求項１２】
利用者情報を用いてネットワークに通信可能に接続する第３の通信部と、
第１の電子装置と通信可能に接続する第４の通信部と、
前記第１の電子装置から送信される前記利用者情報を受信する利用者情報受信部と、
前記利用者情報を用いて前記ネットワークを介してデータを取得する受信処理部と、
をそなえることを特徴とする電子装置。
【請求項１３】
受信した前記利用者情報を記憶する第２の記憶部をそなえ、
前記受信処理部による前記データ取得終了後に、前記第１の電子装置に対して通知を行なうとともに、前記第２の記憶部の前記利用者情報を無効化することを特徴とする、
請求項１２記載の電子装置。
【請求項１４】
第１の電子装置と第２の電子装置とをそなえるシステムにおける通信方法であって、
利用者情報を用いて前記第１の電子装置によってネットワークからデータを取得し、
前記データの取得に際して、当該データに基づいて、当該データの取得を前記第２の電子装置により行なうべきか否かを判定し、
当該データの取得を前記第２の電子装置により行なうべきであると判定した場合に、前記第１の電子装置から前記第２の電子装置に前記利用者情報を送信し、
前記第１の通信部による前記ネットワークとの通信を抑止するとともに、前記第２の電子装置に、前記利用者情報を用いて前記ネットワークを介して前記データの取得を行なわせる、
ことを特徴とする通信方法。
【請求項１５】
前記第２の電子装置に前記利用者情報を用いて前記データの取得を行なわせる際に、前記第１の電子装置の前記利用者情報を無効化することを特徴とする、
請求項１４記載の通信方法。
【請求項１６】
前記受信処理部による前記データ取得終了後に、前記第１の電子装置に対して通知を行なうとともに、前記第２の電子装置の前記利用者情報を無効化することを特徴とする、
請求項１４又は１５記載の通信方法。
【請求項１７】
前記判定部が、前記データの種類に基づいて、前記データの取得を前記第２の電子装置により行なうべきか否かを判定することを特徴とする、
請求項１４〜１６のいずれか１項記載の通信方法。
【請求項１８】
端末間無線通信により前記第１の電子装置から前記第２の電子装置に前記利用者情報を送信することを特徴とする、
請求項１４〜１７いずれか１項記載の通信方法。
【請求項１９】
前記第１の電子装置と前記ネットワークとの通信帯域幅よりも、前記第２の電子装置と前記ネットワークとの通信帯域幅のほうが広いことを特徴とする、
請求項１４〜１８いずれか１項記載の通信方法。
【請求項２０】
電子装置によって実行されたときに、前記電子装置に、
利用者情報を用いてネットワークに通信可能に接続させ、
前記ネットワークを介したデータ取得に際して、当該データに基づいて、当該データの取得を第２の電子装置により行なうべきか否かを判定させ、
当該データの取得を前記第２の電子装置により行なうべきであると判定した場合に、端末間通信を介して前記第２の電子装置に前記利用者情報を送信させ、
前記電子装置と前記ネットワークとの通信を抑止するとともに、前記第２の電子装置に、前記利用者情報を用いて前記ネットワークを介して前記データの取得を行なわせる、
ことを特徴とする通信プログラム。
【発明の詳細な説明】
【技術分野】
【０００１】
本実施形態は、システム、電子装置、通信方法及び通信プログラムに関する。
【背景技術】
【０００２】
携帯電話網などの無線ワイドエリアネットワーク（Wide Area Network；以下「無線ＷＡＮ」と称する）において通信を行なう携帯電話、パーソナルコンピュータ（ＰＣ）などの情報端末のそれぞれには、加入者識別モジュール（Subscriber Identity Module：以下、「ＳＩＭ」と称する）カードが使用されている。
ＳＩＭカードとは、無線ＷＡＮ通信事業者が発行する記憶部であり、携帯電話等の情報端末に装着して使用される。ＳＩＭカードには、通信事業者の契約者に関する情報が記録されている。各ＳＩＭカードには、ＩＭＳＩ（International Mobile Subscriber Identity；以下、「ＳＩＭ情報」と称する）と呼ばれる固有の番号が付与されており、この番号と電話番号とが結びつけられている。情報端末にあるＳＩＭカードスロットにＳＩＭカードを挿入することにより、その情報端末において音声通話やデータ通信を行なったり、通信事業者が提供する各種サービスの利用が可能となる。逆に、ユーザは、ＳＩＭカードを所持し、電子機器に挿入しなければ、その電子機器を使用して音声通話やデータ通信を行なったり、通信事業者が提供する各種サービスを利用することができなくなる。【０００３】
更に、ＳＩＭカードを情報端末に抜き差しすることにより、電話番号を別の情報端末に移したり、数枚のＳＩＭカードを切り替えることにより、１台の情報端末で複数の電話番号を使用することができる。
なお、ＳＩＭカードには１つの電話番号が結び付けられるため、情報端末の基本使用料や、音声通話やデータ通信サービスの利用料は、ＳＩＭカード毎に請求される。
【先行技術文献】
【特許文献】
【０００４】
【特許文献１】特表２００１−５０５３７２号公報
【発明の概要】
【発明が解決しようとする課題】
【０００５】
しかしながら、従来の情報端末では、例えば、同じＳＩＭカードを複数の情報端末で使用するためには、ＳＩＭカードの入れ替えを行なう必要がある。
また、１つのＳＩＭ情報に対してＳＩＭカードが１つしか存在しないため、ＳＩＭカードをある情報端末に搭載してしまうと、同時に、そのＳＩＭカードを別の情報端末に搭載することができない。そのため、１つのＳＩＭカードを複数台の情報端末で使うためには、ＳＩＭカードの入れ替えを行なわなければならない。その際に発生する情報端末間での接続切替えは非常に煩雑である。【０００６】
また、複数台の情報端末間での切り換え時に、再接続という時間的中断が発生するので、サービスをスムーズに受取ることができないという課題がある。
あるいは、情報端末毎にＳＩＭカードを搭載するため、それぞれの情報端末で別々に通信サービスが提供されることになる。そのため、情報端末ごと（すなわちＳＩＭカードごと）に基本使用料を支払う場合がある。【０００７】
開示の技術は、このような課題に鑑み創案されたもので、１つの利用者情報を複数の電子装置で授受することにより、煩雑なＳＩＭカードの抜き差しを行なうことなく、通信を行なう電子装置の切替を可能とすることを目的とする。
なお、前記目的に限らず、後述する発明を実施するための最良の形態に示す各構成により導かれる作用効果であって、従来の技術によっては得られない作用効果を奏することも本実施形態の他の目的の１つとして位置付けることができる。
【課題を解決するための手段】
【０００８】
上記の目的を達成するために、このシステムは、第１の電子装置と第２の電子装置とをそなえるシステムであって、前記第１の電子装置が、利用者情報を用いてネットワークに通信可能に接続する第１の通信部と、前記第２の電子装置と通信可能に接続する第２の通信部と、前記第１の通信部による前記ネットワークを介したデータ取得に際して、当該データに基づいて、当該データの取得を前記第２の電子装置により行なうべきか否かを判定する判定部と、前記判定部が、当該データの取得を前記第２の電子装置により行なうべきであると判定した場合に、前記第２の通信部を介して前記第２の電子装置に前記利用者情報を送信する利用者情報送信部と、前記第１の通信部による前記ネットワークとの通信を抑止するとともに、前記第２の電子装置に、前記利用者情報を用いて前記ネットワークを介して前記データの取得を行なわせる移行部とをそなえ、前記第２の電子装置が、前記利用者情報を用いて前記ネットワークに通信可能に接続する第３の通信部と、前記第１の電子装置と通信可能に接続する第４の通信部と、前記利用者情報送信部によって送信される前記利用者情報を受信する利用者情報受信部と、前記利用者情報を用いて前記ネットワークを介して前記データを取得する受信処理部と、をそなえることを要件とする。【０００９】
また、電子装置は、利用者情報を用いてネットワークに通信可能に接続する第１の通信部と、第２の電子装置と通信可能に接続する第２の通信部と、前記第１の通信部による前記ネットワークを介したデータ取得に際して、当該データに基づいて、当該データの取得を前記第２の電子装置により行なうべきか否かを判定する判定部と、前記判定部が、当該データの取得を前記第２の電子装置により行なうべきであると判定した場合に、前記第２の通信部を介して前記第２の電子装置に前記利用者情報を送信する利用者情報送信部と、前記第１の通信部による前記ネットワークとの通信を抑止するとともに、前記第２の電子装置に、前記利用者情報を用いて前記ネットワークを介して前記データの取得を行なわせる移行部と、をそなえることを要件とする。【００１０】
また、電子装置は、利用者情報を用いてネットワークに通信可能に接続する第３の通信部と、第１の電子装置と通信可能に接続する第４の通信部と、前記第１の電子装置から送信される前記利用者情報を受信する利用者情報受信部と、前記利用者情報を用いて前記ネットワークを介してデータを取得する受信処理部と、をそなえることを要件とする。
さらに、第１の電子装置と第２の電子装置とをそなえるシステムにおける通信方法は、利用者情報を用いて前記第１の電子装置によってネットワークからデータを取得し、前記データの取得に際して、当該データに基づいて、当該データの取得を前記第２の電子装置により行なうべきか否かを判定し、当該データの取得を前記第２の電子装置により行なうべきであると判定した場合に、前記第１の電子装置から前記第２の電子装置に前記利用者情報を送信し、前記第１の通信部による前記ネットワークとの通信を抑止するとともに、前記第２の電子装置に、前記利用者情報を用いて前記ネットワークを介して前記データの取得を行なわせる、ことを要件とする。【００１１】
さらに、通信プログラムは、電子装置によって実行されたときに、前記電子装置に、利用者情報を用いてネットワークに通信可能に接続させ、前記ネットワークを介したデータ取得に際して、当該データに基づいて、当該データの取得を第２の電子装置により行なうべきか否かを判定させ、当該データの取得を前記第２の電子装置により行なうべきであると判定した場合に、端末間通信を介して前記第２の電子装置に前記利用者情報を送信させ、前記電子装置と前記ネットワークとの通信を抑止するとともに、前記第２の電子装置に、前記利用者情報を用いて前記ネットワークを介して前記データの取得を行なわせる、ことを要件とする。
【発明の効果】
【００１２】
開示の技術によれば、１つの利用者情報を電子装置間で授受することにより、通信を行なう電子装置を切り替えることができる。
【図面の簡単な説明】
【００１３】
【図１】実施形態の一例としてのシステムの機能ブロック図である。
【図２】実施形態の一例としてのシステムにおける親端末としての携帯電話のハードウェア構成を示す模式図である。
【図３】実施形態の一例としてのシステムにおける子端末としてのＰＣのハードウェア構成を示す模式図である。
【図４】（ａ），（ｂ）は、実施形態の一例としてのシステムにおける親端末としての携帯電話から、子端末としてのＰＣへ通信を移動する例を示す模式図である。
【図５】実施形態の一例としてのシステムにおける親端末としての携帯電話から、子端末としてのＰＣへ通信を移動する例を示す模式図である。
【図６】（ａ），（ｂ）は、実施形態の一例における、データの種類に応じて、親端末としての携帯電話から、子端末としてのＰＣへ通信を移動する例を示す模式図である。
【図７】（ａ），（ｂ）は、実施形態の一例における、データの種類に応じて、親端末としての携帯電話から、子端末としてのＰＣへ通信を移動する例を示す模式図である。
【図８】実施形態の一例における、データの種類によって、データを受け取る端末を親端末と子端末とで切り替える際の、親端末における処理を示すフローチャートである。
【図９】実施形態の一例における、データの種類によって、データを受け取る端末を親端末と子端末とで切り替える際の、子端末における処理を示すフローチャートである。
【図１０】実施形態の一例における、親端末及び子端末の組み合わせとして使用可能な各種電子装置を示す模式図である。
【図１１】実施形態の一例としてのシステムの変形例の機能ブロック図である。
【発明を実施するための形態】
【００１４】
Ａ．実施の形態
以下、図面を参照して実施の形態を説明する。
図１は、実施形態の一例としてのシステム１の機能ブロック図である。図２は、実施形態の一例としてのシステムにおける親端末としての携帯電話１０のハードウェア構成を示す模式図である。図３は、実施形態の一例としてのシステムにおける子端末としてのＰＣ２０のハードウェア構成を示す模式図である。
【００１５】
図１に示す例においては、システム１は、ＳＩＭカードが搭載され、無線ＷＡＮ通信機能を行なう端末（情報端末；電子装置；第１の電子装置）１０と、ＳＩＭカードが搭載され、無線ＷＡＮ通信を行なう端末（情報端末；電子装置；第２の電子装置）２０と、無線ＷＡＮ基地局４０とを有する。
本実施形態は、端末１０のＳＩＭカードのＳＩＭカード情報を、端末間無線通信を使用して端末２０に複製する。
【００１６】
なお、以下、ＳＩＭカード情報の複製元の情報端末を「親端末」、ＳＩＭカード情報の複製先の情報端末を「子端末」と呼ぶ。
また、複製元のＳＩＭカードを「親ＳＩＭカード」、複製先のＳＩＭカードを「子ＳＩＭカード」と呼ぶ。
無線ＷＡＮ基地局４０は、例えば、ＧＳＭ（Global System for Mobile Communications）やＬＴＥ（Long Term Evolution）、Ｗ−ＣＤＭＡ（Wideband Code Division Multiple Access）方式、ＨＳＰＡ（High Speed Packet Access）、ＨＳＰＡ＋（HSPA Evolution）などの無線ＷＡＮ方式に準拠した無線基地局であり、無線ＷＡＮアンテナ４１をそなえる。無線ＷＡＮ基地局４０の構成や機能は、既知の種々の構成や機能を用いて実現することができ、これらの説明はここでは省略する。
【００１７】
無線ＷＡＮ基地局４０は、インターネット５０を介して各種サーバ５１に接続されている。サーバ５１は、音声や動画、テキストデータなどのメディアデータを記憶し、これらを供給するサーバである。
親端末１０は、例えば、無線ＷＡＮ通信機能のほかに、端末間無線通信機能を搭載した携帯電話１０である。したがって、以下の説明では、親端末１０を「携帯電話１０」とも称する。
【００１８】
携帯電話１０は、例えば、ＧＳＭ方式に準拠した無線ＷＡＮ通信を行なうことが可能な携帯電話端末であり、無線ＷＡＮ基地局４０経由で無線ＷＡＮを介して、他の携帯電話１０との音声通話やデータ通信を行なうことができる。
更に、携帯電話１０は、無線ＷＡＮを介して、無線パケット通信も行なうことができる。無線パケット通信によって、携帯電話１０は、携帯メールを送受信したり、携帯電話専用のサイトを閲覧したりすることができる。また、携帯電話１０は、無線パケット通信によって、配信サイトから音楽や動画等の各種データをダウンロードすることも可能である。
【００１９】
子端末２０は、例えば、無線ＷＡＮ通信機能のほかに、端末間無線通信機能を搭載したパーソナルコンピュータ（Personal Computer：ＰＣ）２０である。例えば、子端末２０は、ノートブックＰＣ、デスクトップＰＣ、モバイルＰＣなどである。以下の説明では、子端末２０を「ＰＣ２０」とも称する。
前述のように、無線ＷＡＮ通信とは、例えば、ＧＳＭ方式やＬＴＥ方式などに準拠して行なわれる無線ＷＡＮ通信である。
【００２０】
なお、親端末１０と無線ＷＡＮ基地局４０との間で行なわれる無線ＷＡＮ通信の規格は、後述するＰＣ２０と無線ＷＡＮ基地局４０との間で行なわれる無線ＷＡＮ通信の規格と同じであっても、異なっていてもよい。例えば、携帯電話１０と無線ＷＡＮ基地局４０との間で行なわれる無線ＷＡＮ通信がＧＳＭ方式であり、ＰＣ２０と無線ＷＡＮ基地局４０との間で行なわれる無線ＷＡＮ通信がＬＴＥ方式でもよい。ＬＴＥ方式はＧＳＭ方式よりも帯域幅が広く、このためサイズの大きな動画データなどの高速通信が可能となる。
【００２１】
また、親端末１０と子端末２０がＳＩＭカード情報のやり取りに使用する端末間無線通信は、Ｂｌｕｅｔｏｏｔｈ（登録商標）や無線ＬＡＮなどに準拠した無線通信である。
ＰＣ２０は、無線ＷＡＮを介して、音声通話やデータ通信を行なうことができる。例えば、ＰＣ２０は、ＬＴＥ方式に準拠した無線ＷＡＮ通信を行なうことが可能なノートブックＰＣである。
【００２２】
そして、ＰＣ２０は、無線ＷＡＮ基地局４０を介して、無線ＷＡＮ上で無線パケット通信を行なうことができる。無線パケット通信によって、ＰＣ２０は、後述する配信サイトなどのサーバ５１から音楽や動画のデータなどをダウンロードすることができる。
ここで、図２を参照して、携帯電話１０のハードウェア構成を説明する。図２に示すように、携帯電話１０は、無線ＷＡＮ通信部回路１１、ＳＩＭカード１２、端末間通信ポート１４、中央処理装置（ＣＰＵ）１５、メモリ１６、入出力（Ｉ／Ｏ）インタフェース１７、無線ＷＡＮアンテナ１８、及びバス２１０を有する。
【００２３】
無線ＷＡＮ通信部回路（第１の通信部）１１は、後述するＳＩＭカード１２に格納されている情報（ＳＩＭ情報）に基づいて、無線ＷＡＮ通信を行なうための回路である。無線ＷＡＮ通信部回路１１は、無線ＷＡＮ基地局４０への携帯電話１０の位置情報の送信、無線ＷＡＮ基地局４０からの電波の受信、及び音声通話やデータ通信に係る制御を行なう。例えば、携帯電話１０の電源投入時には、無線ＷＡＮ通信部回路１１は、無線ＷＡＮ基地局４０に対して、自身の位置を通知するための情報を送信する。また、無線ＷＡＮ通信部回路１１は、携帯電話１０の移動などにより、無線ＷＡＮ基地局４０から受信した電波のレベルが低下している場合には、電波強度の高い近隣の無線ＷＡＮ基地局４０へのハンドオーバー処理を行なう。
【００２４】
ＳＩＭカード（第１の記憶部）１２は、例えば、携帯電話１０に搭載される抜き挿し可能な接触型ＩＣカードである。ＳＩＭカード１２には、携帯電話１０の契約者（利用者）を識別するためのＩＭＳＩ（ＳＩＭ情報；利用者情報）と呼ばれる固有の番号が付与されており、携帯電話１０は、ＩＭＳＩと電話番号を結びつけることにより無線ＷＡＮ通信を可能としている。ＳＩＭカード１２には、このＳＩＭ情報が格納されている。携帯電話１０は、ＳＩＭカード１２からＳＩＭ情報等（以下、「ＳＩＭ情報」と称する）を読み出し、後述するメモリ１６に格納する。このことによって、携帯電話１０は、利用者が契約した電話番号とＳＩＭ情報とを有する携帯電話として動作する。
【００２５】
端末間通信ポート（第２の通信部）１４は、端末間無線通信を行なうための通信ポートである。この端末間無線通信は、無線ＷＡＮ通信よりも通信距離が短い無線通信であってもよい。例えば、端末間通信ポート１４は、Ｂｌｕｅｔｏｏｔｈ規格に準拠した無線通信を行なうための通信ポートである。この端末間通信ポート１４と、後述するＰＣ２０の端末間通信ポート２４とを介して、ＰＣ２０との間で端末間無線通信を実現する。
【００２６】
ＣＰＵ１５は、携帯電話１０の各種動作を実行するための処理装置である。ＣＰＵ１５は、メモリ１６に記憶されているプログラムを実行することにより、携帯電話１０の各種機能を実現する。例えば、ＣＰＵ１５は、通信プログラムをメモリ１６から読み出して、通信プログラムを実行し、後述する通信制御部１３の機能を実現する。
メモリ１６は、携帯電話１０の各種動作を実行するためのプログラムやデータを記憶する記憶装置である。メモリ１６は、ランダムアクセスメモリ（ＲＡＭ）やリードオンリーメモリ（ＲＯＭ）である。
【００２７】
また、メモリ１６は各種データも格納する。格納するデータの例としては、アドレス帳、送受信した携帯メール、携帯電話１０に付属するカメラ（図示なし）で撮影した画像データ、ダウンロードした音楽データ等がある。ＣＰＵ１５は、各種プログラムをメモリ１６から読み出して実行する。
Ｉ／Ｏインタフェース１７は、携帯電話１０と外部周辺機器（図示なし）との入出力を行なうためのインタフェースである。Ｉ／Ｏインタフェース１７としては、例えば、ＵＳＢ（Universal Serial Bus）インタフェースや、ＮＦＣ（Near Field Communication）インタフェースなどである。
【００２８】
無線ＷＡＮアンテナ１８は、無線ＷＡＮ基地局４０との間で無線ＷＡＮ通信を行なうため電波の送受信を行なうアンテナである。
バス２１０は、無線ＷＡＮ通信部回路１１、ＳＩＭカード１２、端末間通信ポート１４、ＣＰＵ１５、メモリ１６、Ｉ／Ｏインタフェース１７、及び無線ＷＡＮアンテナ１８を相互接続する。
【００２９】
次に、図１を参照して、携帯電話１０の機能について説明する。
図１に示すように、携帯電話１０は、通信制御部１３を有する。
通信制御部１３は、本実施形態における通信を行なう機能を担い、データ処理部１０１、移動判定部１０２、端末間通信制御部１０３、ＳＩＭ情報送受信部１０４、及び通信移動部１０５を有する。
【００３０】
データ処理部１０１は、無線ＷＡＮ通信を介して、サーバ５１からデータをダウンロードしてこれを処理する。
移動判定部（判定部）１０２は、データ処理部１０１によるダウンロード中に、このデータを携帯電話１０で処理すべきか、あるいはＰＣ２０で処理すべきかを判定する。
なお、この判定は、携帯電話１０で事前に行なわれている設定に基づいて自動的に行なわれても、あるいは、携帯電話１０のユーザによる操作により手動で行なわれてもよい。
【００３１】
携帯電話１０で事前に設定を行なう場合、例えば、ダウンロードデータが動画データの場合に当該データをＰＣ２０で処理し、ダウンロードデータが動画データ以外の場合に当該データを携帯電話１０で処理するように、ユーザが携帯電話１０を事前に設定しておく。この設定結果（設定値）が、例えば、携帯電話１０のメモリ１６に保存される。
そして、移動判定部１０２は、データのダウンロード中にデータの種類を調べ、ダウンロードデータが動画である場合には、当該データをＰＣ２０で処理すべきと判定し、端末間通信制御部１０３にＰＣ２０との端末間通信を開始させる。
【００３２】
端末間通信制御部１０３は、移動判定部１０２によって、ダウンロードデータの処理端末をＰＣ２０とすべきであると判定された場合に、携帯電話１０とＰＣ２０との端末間通信を確立する。具体的には、端末間通信制御部１０３は、前述の端末間通信ポート１４に、ＰＣ２０への端末間通信依頼を送信させる。そして、接続依頼に対するＰＣ２０からの応答を受信し、ＰＣ２０が端末間接続可能である場合に、携帯電話１０とＰＣ２０との端末間通信を確立する。
【００３３】
また、端末間通信制御部１０３は、ＰＣ２０から無線ＷＡＮ通信を引き継ぐ際に、ＰＣ２０から端末間通信依頼を受信すると、ＰＣ２０との端末間通信を確立する。
ＳＩＭ情報送受信部（利用者情報送信部）１０４は、無線ＷＡＮ通信をＰＣ２０に移動させる場合に、端末間通信制御部１０３によって確立された端末間通信を介して、携帯電話１０のＳＩＭカード１２のＳＩＭ情報を、ＰＣ２０に送信する。
【００３４】
通信移動部（移行部）１０５は、複製したＰＣ２０のＳＩＭカード２２を活性化すると共に、携帯電話１０のＳＩＭカード１２を不活性化して、携帯電話１０と無線ＷＡＮ通信基地局４０との接続を切断させ、無線ＷＡＮ通信をＰＣ２０に移動させる。すなわち、携帯電話１０と無線ＷＡＮ通信基地局４０との無線ＷＡＮ通信に代えて、無線ＷＡＮ通信基地局４０とＰＣ２０との間で無線ＷＡＮ通信を行なわせる。
【００３５】
なお、「ＳＩＭカードの活性化」とは、ＳＩＭカード内のＳＩＭ情報を使用可能な状態に設定する（有効化する）ことを指し、「ＳＩＭ情報の不活性化」とは、ＳＩＭカード内のＳＩＭ情報を使用不能な状態に設定する（無効化する）ことを指す。このＳＩＭカードの活性化と不活性化は、ＳＩＭカードの内部のフラグの設定などによって行なうことができる。
【００３６】
ＳＩＭカードの不活性化は、例えば、ＳＩＭカード１２，２２のＳＩＭ情報の少なくとも一部を、例えば“００００”、“１１１１”のような所定のパターンを有する連続シーケンスで書き換えて、ＳＩＭ情報を読めないようにすることによって行なうことができる。なお、この不活性化の前には、例えば、ＳＩＭカード１２または２２のＳＩＭ情報を、メモリ１６または２６等にバックアップする。
【００３７】
逆に、ＳＩＭカード１２，２２を活性化するには、ＳＩＭカード１２，２２内のＳＩＭ情報に正しい値を設定することにより行なうことができる。
あるいは、図１１に示すように、ＳＩＭ情報の活性化又は不活性を示すフラグを記憶するバッファ１０６，２０６を、携帯電話１０とＰＣ２０のそれぞれに設けてもよい。例えば、バッファ１０６，２０６のフラグが“１”に設定されている場合はＳＩＭカード内のＳＩＭ情報が使用可能に設定され、フラグが“０”に設定されている場合はＳＩＭカード内のＳＩＭ情報が使用不能に設定される。
【００３８】
あるいは、ＳＩＭカードを不活性化する代わりに、ＳＩＭカード内のＳＩＭ情報が削除されてもよい。その際には、ＳＩＭカードを活性化する代わりに、ＳＩＭカードにＳＩＭ情報が他のＳＩＭカード等から複製される。その場合、ＳＩＭ情報送受信部１０４が、後述するＰＣ２０のＳＩＭカード２２のＳＩＭ情報を受信して、受信したＳＩＭ情報を携帯電話１０のＳＩＭカード１２に書き込むこともある。
【００３９】
上記の通信制御部１３、データ処理部１０１、移動判定部１０２、端末間通信制御部１０３、ＳＩＭ情報送受信部１０４、及び通信移動部１０５の機能は、携帯電話１０のメモリ１６に格納されているプログラムを、携帯電話１０のＣＰＵ１５が読み出して実行することにより実現される。
なお、携帯電話１０のその他の機能や構成については、既知の種々の機能を用いて実現することができ、その説明を省略する。
【００４０】
次に、図３を参照して、ＰＣ２０のハードウェア構成を説明する
図３に示すように、ＰＣ２０は、無線ＷＡＮモジュール２１、ＳＩＭカード２２、端末間通信ポート２４、ＣＰＵ２５、メモリ２６、Ｉ／Ｏインタフェース２７、無線ＷＡＮアンテナ２８、ハードディスクドライブ（ＨＤＤ）２９，２９、及びバス３１０を有する。
無線ＷＡＮモジュール（第３の通信部）２１は、後述するＳＩＭカード２２に格納されている情報に基づいて、無線ＷＡＮ通信を行なうための回路である。無線ＷＡＮモジュール２１は、無線ＷＡＮ基地局との通信に係る制御を行なう。無線ＷＡＮモジュール２１は、ＰＣ２０に内蔵されていてもよく、又、ＰＣ２０のＰＣカードスロット（図示なし）やＵＳＢインタフェース（図示なし）内に外付けモジュールとして装着されてもよい。
【００４１】
ＳＩＭカード２２（第２の記憶部）は、無線ＷＡＮモジュール２１に搭載される抜き挿し可能な接触型ＩＣカードである。ただし、前述の携帯電話１０のＳＩＭカード１２とは異なり、ＰＣ２０のＳＩＭカード２２は、初期状態では、ＳＩＭ情報が記録されていないか、記録されていても使用不可にされているＳＩＭカードである。ＳＩＭカード２２には、携帯電話１０のＳＩＭカード１２のＳＩＭ情報が、ＰＣ２０のＳＩＭカード２２に転送される。つまり、ＳＩＭカード２２は、携帯電話１０のＳＩＭカード１２のＳＩＭ情報が格納される複製用のＳＩＭカードである。
【００４２】
端末間通信ポート２４（第４の通信部）は、端末間無線通信を行なうための通信ポートである。この端末間無線通信は、無線ＷＡＮ通信よりも通信距離が短い無線通信であってもよい。例えば、端末間通信ポート２４は、Ｂｌｕｅｔｏｏｔｈ規格に準拠した無線通信を行なうための通信ポートである。この端末間通信ポート２４と、携帯電話１０の端末間通信ポート１４とを介して、携帯電話１０との間で端末間無線通信を実現する。
【００４３】
ＣＰＵ２５は、ＰＣ２０の各種動作を実行するための処理装置である。ＣＰＵ２５は、メモリ２６や後述するＨＤＤ２９に記憶されているプログラムを実行することにより、ＰＣ２０の各種機能を実現する。例えば、ＣＰＵ２５は、通信プログラムをＨＤＤ２９からメモリ２６に読み出して、通信プログラムを実行し、後述する通信制御部２３の機能を実現する。
【００４４】
メモリ２６は、ＰＣ２０の各種動作を実行するためのプログラムやデータを記憶する記憶装置である。また、メモリ２６は各種データも格納する。メモリ１６は、ランダムアクセスメモリ（ＲＡＭ）やリードオンリーメモリ（ＲＯＭ）である。
Ｉ／Ｏインタフェース２７は、ＰＣ２０と外部周辺機器との入出力を行なうためのインタフェースである。Ｉ／Ｏインタフェース２７としては、例えば、ＵＳＢインタフェースや、ＮＦＣインタフェースなどである。
【００４５】
無線ＷＡＮアンテナ２８は、無線ＷＡＮ基地局４０との間で無線ＷＡＮ通信を行なうため電波の送受信を行なうアンテナである。
ＨＤＤ２９は、ＰＣ２０のオペレーティングシステム（ＯＳ）や、ＰＣ２０において実行される各種プログラムや当該プログラムの実行に必要なデータを記憶する記憶装置である。また、ＨＤＤ２９は、その他の各種データも記憶する。なお、図３においては２台のＨＤＤ２９が図示されているが、ＨＤＤ２９の台数は２台とは限らず、任意の台数のＨＤＤが設置されていてもよい。
【００４６】
バス３１０は、無線ＷＡＮモジュール２１、ＳＩＭカード２２、端末間通信ポート２４、ＣＰＵ２５、メモリ２６、Ｉ／Ｏインタフェース２７、無線ＷＡＮアンテナ２８、及びＨＤＤ２９，２９を相互接続する。
なお、ＰＣ２０のその他の機能や構成については、既知の種々の機能を用いて実現することができ、その説明を省略する。
【００４７】
次に、図１を参照して、ＰＣ２０の機能について説明する。
図１に示すように、ＰＣ２０は、通信制御部２３を有する。
通信制御部２３は、本実施形態における通信を行なう機能を担い、端末間通信制御部２０１、ＳＩＭ情報送受信部２０２、通信移動部２０３、データ処理部２０４及び移動判定部２０５を有する。
【００４８】
端末間通信制御部２０１は、前述の端末間通信ポート２４において、携帯電話１０から端末間通信依頼を受信した場合に、携帯電話１０との端末間通信を確立する。
また、後述する移動判定部２０５によって、ダウンロードデータの処理端末を携帯電話１０に戻すべきであると判定された場合に、端末間通信制御部２０１は、ＰＣ２０と携帯電話１０との端末間通信を確立する。具体的には、端末間通信制御部２０１は、前述の端末間通信ポート２４に、携帯電話１０への端末間通信依頼を送信させる。そして、接続依頼に対する携帯電話１０からの応答を受信し、携帯電話１０が端末間接続可能である場合に、ＰＣ２０と携帯電話１０との端末間通信を確立する。
【００４９】
ＳＩＭ情報送受信部（利用者情報受信部）２０２は、無線ＷＡＮ通信をＰＣ２０に移動させる場合に、端末間通信制御部２０１によって確立された端末間通信を介して、携帯電話１０のＳＩＭカード１２のＳＩＭ情報を受け取り、この内容をＰＣ２０のＳＩＭカード２２に書き込む。
通信移動部２０３は、ＳＩＭ情報送受信部２０２によって書き込まれたＳＩＭカード２２を活性化すると共に、ＳＩＭカード２２に書き込んだＳＩＭ情報に基づいて、無線ＷＡＮ通信基地局４０との無線ＷＡＮ通信を行なう。
【００５０】
また、通信移動部２０３は、ＰＣ２０が無線ＷＡＮ通信基地局４０との無線ＷＡＮ通信を行なっている間に、後述する移動判定部２０５により、無線ＷＡＮ通信を携帯電話１０に戻すべきであると判定された場合に、ＰＣ２０のＳＩＭカード２２を不活性化する。これにより、ＰＣ２０と無線ＷＡＮ通信基地局４０との接続が切断され、無線ＷＡＮ通信が携帯電話１０に戻される。
【００５１】
データ処理部（受信処理部）２０４は、携帯電話１０から引き継いだ無線ＷＡＮ通信を介してデータをダウンロードして、これを処理する。なお、データの再生は、携帯電話１０やＰＣ２０に対して行なった事前設定やユーザの指示に応じて、携帯電話１０から無線ＷＡＮ通信を引き継いだ時点から行なっても、データの先頭から行なってもよい。
移動判定部２０５は、無線ＷＡＮ通信を携帯電話１０に戻すべきかどうかを判定する。この判定は、携帯電話１０やＰＣ２０に対して行なった事前設定に基づいて行なうか、あるいはユーザからの指示に基づいて行なう。
【００５２】
無線ＷＡＮ通信を携帯電話１０に戻すかどうかの判定のための事前設定としては、例えば、ダウンロード中のデータのダウンロードが終了した時点で、無線ＷＡＮ通信を携帯電話１０に戻すように携帯電話１０やＰＣ２０を設定することが考えられる。この設定は、予めユーザがＰＣ２０に設定しても、無線ＷＡＮを携帯電話１０から引き継いだときに、携帯電話１０によってＰＣ２０に送信されてもよい。
【００５３】
そして、移動判定部２０５によって、無線ＷＡＮ通信を携帯電話１０に戻すべきであると判定された場合、端末間通信制御部２０１は、携帯電話１０との端末間通信を確立するように指示する。そして、通信移動部２０３が、端末間通信を介して、携帯電話１０のＳＩＭカードを活性化させるように携帯電話１０に指示する。そして、通信移動部２０３は、ＰＣ２０のＳＩＭカード１２を不活性化して、無線ＷＡＮ通信を携帯電話１０に移動させる。
【００５４】
上記の通信制御部１３、移動判定部１０２、端末間通信制御部１０３、ＳＩＭ情報送受信部１０４、及び通信移動部１０５の機能は、ＰＣ２０のメモリ１６に格納されているプログラムを、ＰＣ２０のＣＰＵ１５が読み出して実行することにより実現される。
次に、図４（ａ），（ｂ）〜図５を参照して、本システム１において携帯電話１０からＰＣ２０へ無線ＷＡＮ通信を移動する例を示す。ここでは、「無線ＷＡＮ通信を移動する」とは、ＳＩＭカードの抜き差しを行なうことなく、１つのＳＩＭカードの利用者情報（ＳＩＭ情報）を使用して、無線ＷＡＮ通信を行なう端末を親子端末間で切り替えることを指す。
【００５５】
図４（ａ）は、無線ＷＡＮ基地局４０と携帯電話１０とが無線ＷＡＮ通信している状態を示す。図４（ｂ）は、無線ＷＡＮ基地局４０と携帯電話１０とが無線ＷＡＮ通信しつつ、携帯電話１０とＰＣ２０とが端末間通信している状態を示す。図５は、無線ＷＡＮ基地局４０とＰＣ２０とが無線ＷＡＮ通信している状態を示す。
図４（ａ）に示す状態においては、携帯電話１０と無線ＷＡＮ基地局４０との間で無線ＷＡＮ通信を行なっている。携帯電話１０のＳＩＭカード（親ＳＩＭ）１２にはＳＩＭ情報が格納され、かつこのＳＩＭカードが活性化されており、これにより携帯電話１０が無線ＷＡＮ基地局４０と接続することができる。一方、ＰＣ２０（子端末）の無線ＷＡＮモジュール２１に装着されているＳＩＭカード（子ＳＩＭ）２２は不活性化されている（図中で斜線表示されている）ため、ＰＣ２０は無線ＷＡＮ基地局４０に接続することができない。
【００５６】
ここで、例えば、ユーザが、携帯電話１０（親端末）がＰＣ２０（子端末）に無線ＷＡＮ通信を移動させたい（すなわち、無線ＷＡＮ通信を、携帯電話１０ではなくＰＣ２０で行ないたい）と考えるとする。ユーザは、携帯電話１０とＰＣ２０のＧＵＩ（Graphical User Interface）のボタン操作等により、無線ＷＡＮ通信を移動させるための操作を行なう。
【００５７】
この操作が、携帯電話１０の移動判定部１０２によって検出される。
次に、図４（ｂ）に示すように、携帯電話１０の端末間通信制御部１０３により、携帯電話１０の端末間通信ポート１３と、ＰＣ２０の端末間通信ポート２３とが接続される。
そして、携帯電話１０のＳＩＭ情報送受信部１０４は、自身のＳＩＭカード１２のＳＩＭ情報を、ＰＣ２０のＳＩＭカード２２に送信する。そして、送信されたＳＩＭ情報を、ＰＣ２０のＳＩＭ送受信部２０２が受信して、ＳＩＭカード２２に書き込む。
【００５８】
もし、同じＳＩＭ情報が複数の端末で使用されてしまうと、無線ＷＡＮ基地局４０は、無線ＷＡＮ通信を正常に行なうことができなくなる。このような状態が発生するのを阻止するために、図５に示すように、ＳＩＭカード１２からＳＩＭカード２２へのＳＩＭ情報の複製が終了したら、携帯電話１０の通信移動部１０５は、親ＳＩＭカード１２を不活性化させて（図中で灰色図示）、携帯電話１０との通信を停止させる。同時に、ＰＣ２０の通信移動部２０３は、子ＳＩＭカード２２を活性化させて、ＰＣ２０との通信を開始させ、無線ＷＡＮ基地局４０がＰＣ２０と通信できるようにする。このようにして通信端末の移動が行なわれる。
【００５９】
なお、この例では、無線ＷＡＮ通信の移動をユーザが手動で行なっているが、無線ＷＡＮ通信の移動が、データなどに応じて自動で行なわれてもよい。例えば、通信するデータの種類によって、携帯電話１０で通信を行なうか、携帯電話１０からＰＣ２０に通信を移動させるかを選択することもできる。例えば、通信するデータが、データサイズの大きな動画データである場合は、動画のダウンロードや再生を、（ＬＴＥ方式など）無線ＷＡＮの通信帯域が広く、且つ処理能力の高いＰＣ２０で行なう。また、動画以外の画像や、音声、テキストなどのデータサイズの小さいデータは、（ＧＳＭ方式など）無線ＷＡＮの通信帯域が狭く、且つ処理能力の低い携帯電話１０でダウンロード、再生または処理を行なうことが考えられる。
【００６０】
図６（ａ），（ｂ）〜図７（ａ），（ｂ）を参照して、通信するデータの種類に応じて、実施形態の一例における親端末としての携帯電話１０から、子端末としてのＰＣ２０へ無線ＷＡＮ通信を移動する例を示す。
図６（ａ）は、無線ＷＡＮ基地局４０と携帯電話１０とが無線ＷＡＮ通信を行ない、音声データ５２をダウンロードしている状態を示す。図６（ｂ）は、無線ＷＡＮ基地局４０と携帯電話１０とが無線ＷＡＮ通信を行ない、動画データ５３のダウンロードが開始された状態を示す。図７（ａ）は、無線ＷＡＮ通信を、携帯電話１０からＰＣ２０へ移動している状態を示す。図７（ｂ）は、無線ＷＡＮ基地局４０とＰＣ２０とが無線ＷＡＮ通信を行ない、動画データ５３をダウンロードしている状態を示す。
【００６１】
図６（ａ）に示す状態においては、携帯電話１０（親端末）が無線ＷＡＮ基地局４０に接続している。
携帯電話１０のユーザは、ブラウザを使用してインターネット５０上の情報を閲覧しているが、携帯電話１０のディスプレイ（図示なし）が小さいため、一度に閲覧できる情報が限られている。
【００６２】
また、ユーザは、インターネット５０から携帯電話１０に、例えば、音楽などの音声データ５２を取得しており、音声データ５２はデータサイズが小さく、携帯電話１０のように通信帯域が狭く、又、処理能力が低くても十分使用に耐えられる。
次に、ユーザは、携帯電話１０のブラウザを使用して、インターネット５０から動画データ５３をダウンロードしようとするものとする。例えば、ユーザは、ブラウザを使用して、動画データ５３をダウンロードするサイトに進み、「ダウンロード」ボタンをクリックする。
【００６３】
携帯電話１０は、図６（ｂ）に示すように、サーバ５１からインターネット５０を介して、無線ＷＡＮ基地局４０経由で送信されたデータを受信する。携帯電話１０の移動判定部１０２は、当該データのヘッダ情報（例えば、データが動画データ５３の場合には、ファイル自体について記載されているメタデータ）やファイル拡張子情報を参照して、データの種類が動画かどうかを確認する。
【００６４】
データの種類が動画である場合、図７（ａ）に示すように、携帯電話１０の端末間通信制御部１０３は、端末間通信ポート１４を使用してＰＣ２０の端末間通信ポート２４と、端末間無線通信を行なう。そして、携帯電話１０のＳＩＭ情報送受信部１０４は、自身の親ＳＩＭカード１２にあるＳＩＭ情報をＰＣ２０に送信する。ＰＣ２０のＳＩＭ情報送受信部２０２は、このＳＩＭ情報を受信して、ＰＣ２０の無線ＷＡＮモジュール２１の子ＳＩＭカード２２に書き込む。
【００６５】
次に、携帯電話１０の通信移動部１０５は、携帯電話１０のＳＩＭカード１２を不活性化する。同時に、ＰＣ２０の通信移動部２０３は、ＰＣ２０の無線ＷＡＮモジュール２１のＳＩＭカード２２を活性化する。これにより、ＰＣ２０が無線ＷＡＮ基地局４０と通信可能となり、携帯電話１０は無線ＷＡＮ基地局４０と通信不能となる。
その後、ＰＣ２０のデータ処理部２０４は、無線ＷＡＮ基地局４０からの電波を受けて、携帯電話１０で実施していた通信を引き継ぎ、データ通信を継続する。その際、無線ＷＡＮ基地局４０との再接続処理（例えば、無線ＷＡＮ通信で一般的なハンドシェイクなど）を行なう必要がない。この処理により、以降、無線ＷＡＮ基地局４０は携帯電話１０ではなくＰＣ２０と接続して通信するようになる。
【００６６】
ＰＣ２０で、ブラウザや動画データのブラウザが起動されて動画データ５３が再生される。
次に、図７（ｂ）に示す状態において、ＰＣ２０の移動判定部２０５が、動画データ５３の再生が終了したこと検出すると、携帯電話１０に通信を戻す処理を開始する。
図７（ｂ）に示すように、ＰＣ２０の端末間通信制御部２０１は、端末間通信ポート２４を使用して携帯電話１０の端末間通信ポート１４と端末間無線通信を確立する。そして、ＰＣ２０の通信移動部２０３は、端末間通信を介して、携帯電話１０のＳＩＭカード１２を活性化するように、携帯電話１０に指示する。携帯電話１０の通信移動部１０５は、端末間通信を介して受信したＰＣ２０からのこの指示に従って、ＳＩＭカード１４を活性化する。
【００６７】
同時に、ＰＣ２０の通信移動部２０３は、ＰＣ２０のＳＩＭカード２２を不活性化する。その後、携帯電話１０は無線ＷＡＮ基地局４０からの電波を受けて、ＰＣ２０の無線ＷＡＮモジュール２１で実施していた通信を引き継ぎ、データ通信を継続する。その際、無線ＷＡＮ基地局４０との再接続処理（例えば、無線ＷＡＮ通信で一般的なハンドシェイクなど）を行なう必要がない。この処理により、無線ＷＡＮ基地局４０はＰＣ２０ではなく携帯電話１０と接続して通信するようになる。
【００６８】
上記の処理を繰り返すことで、本実施形態の一例においては、データの種類によって、データを受け取る端末を、親端末と子端末とで切り替えることができる。
上記の如く構成された実施形態の一例としてシステム１における、データの種類に応じて受信端末を切り替える際の、親端末における処理を図８に示す。
本例においては、親端末が携帯電話１０、子端末がノートブックＰＣ２０である場合について説明する。
【００６９】
ステップＳ６１において、ユーザが、動画の再生の処理をノートブックＰＣ２０で行ない、それ以外の種類のデータの処理を携帯電話１０で行なうように、携帯電話１０を設定する。この設定は、携帯電話１０の設定用のＧＵＩを使用して行なう。更に、ＳＩＭカード１２を使用不能とするために、ＳＩＭカード１２を不活性化するか、あるいはＳＩＭカード１２のＳＩＭ情報を消去するかを設定する。これらの設定は、携帯電話１０とＰＣ２０とで合わせておく必要があり、その設定値が携帯電話１０のメモリ１６等に記憶される。
【００７０】
次にステップＳ６２において、ユーザは、携帯電話１０を使用して無線ＷＡＮ基地局４０に接続し、データ通信を開始する。
次にステップＳ６３において、携帯電話１０は、無線ＷＡＮアンテナ１８及び無線ＷＡＮ通信部回路１１を使用してデータ通信を行なう。この際に、無線ＷＡＮ基地局４０を介して受信されるデータは、ステップＳ６１において設定した、携帯電話１０で受信及び処理するデータである。例えば、受信データは動画以外のデータであり、このデータが携帯電話１０のデータ処理部１０１によって処理され、再生などが行なわれる。
【００７１】
ステップＳ６４において、データを受信するたびに、携帯電話１０の移動判定部１０２は、ステップＳ６１の設定に従って、受信データに動画が含まれているかどうかを判定する。この判定は、例えば、受信データのヘッダ情報（例えば、ファイル自体について記載されているメタデータ）やファイル拡張子情報を参照することにより行なう。受信データに動画が含まれない場合（ステップＳ６４のＮＯルート）、ステップＳ６３に戻り、データ通信を続行する。
【００７２】
一方、ステップＳ６４において受信データに動画が含まれる場合（ステップＳ６４のＹＥＳルート）、ステップＳ６５において、携帯電話１０の端末間通信制御部１０３は、子端末であるノートブックＰＣ２０に対して、端末間通信ポート２４の接続依頼を行なう。
ステップＳ６６において、携帯電話１０の端末間通信制御部１０３は、端末間通信ポート２４の接続依頼に対するノートブックＰＣ２０からの応答を受信し、ノートブックＰＣ２０が端末間接続可能であるかどうかを判定する。ノートブックＰＣ２０が端末間接続可能ではない場合（ステップＳ６６のＮＯルート）、携帯電話１０は、動画を携帯電話１０で再生して（ステップＳ６７）、処理を終了する。
【００７３】
一方、ステップＳ６６においてノートブックＰＣ２０が端末間接続可能である場合（ステップＳ６６のＹＥＳルート）、ステップＳ６８において、携帯電話１０の端末間通信制御部１０３は、子端末であるノートブックＰＣ２０に対して、端末間通信ポート１４，２４を介した接続を行なう。
ステップＳ６９において、携帯電話１０の端末間通信制御部１０３は、ノートブックＰＣ２０と端末間通信ポート１４，２４間の接続を確立できたかどうかを判定する。ノートブックＰＣ２０と端末間通信ポート１４，２４間の接続を確立できなかった場合（ステップＳ６９のＮＯルート）、携帯電話１０の端末間通信制御部１０３は、ステップＳ６８に戻って端末間通信ポート１４，２４間の接続を再試行する。
【００７４】
一方、ステップＳ６９においてノートブックＰＣ２０と端末間通信ポートの接続を確立できた場合（ステップＳ６９のＹＥＳルート）、ステップＳ７０において、携帯電話１０のＳＩＭ情報送受信部１０４は、端末間通信ポート１４を介して、ＳＩＭカード１２内のＳＩＭ情報を、ノートブックＰＣ２０に送信する。
次に、ステップＳ７１において、携帯電話１０の通信移動部１０５は、ＳＩＭカード１２を不活性化する。
【００７５】
次に、ＳＩＭカード１２が不活性化されたために、ステップＳ７２において、携帯電話１０と無線ＷＡＮ基地局４０との無線ＷＡＮ通信が切断されて、処理を終了する。
次に、上記の如く構成された実施形態の一例としてシステム１における、データの種類に応じて受信端末を切り替える際の、子親端末における処理を図９に示す。
本例においても、親端末が携帯電話１０、子端末がノートブックＰＣ２０である場合について説明する。
【００７６】
まず、ステップＳ８１において、ユーザが、動画の再生の処理をノートブックＰＣ２０で行ない、それ以外の種類のデータの処理を携帯電話１０で行なうように、ノートブックＰＣ２０を設定する。この設定は、ノートブックＰＣ２０の設定用のＧＵＩを使用して行なう。更に、ＳＩＭカード２２を使用不能とするために、ＳＩＭカード２２を不活性化するか、あるいはＳＩＭカード２２のＳＩＭ情報を消去するかを設定する。これらの設定は、携帯電話１０とＰＣ２０とで合わせておく必要があり、その設定値がＰＣ２０のメモリ２６、ＨＤＤ２９等に記憶される。
【００７７】
次にステップＳ８５において、ノートブックＰＣ２０の端末間通信制御部２０１は、親端末である携帯電話１０から、端末間通信ポート２４の接続依頼を受信したかどうかを判定する。端末間通信制御部２０１が、携帯電話１０から端末間通信ポート２４の接続依頼を受信しない場合（ステップＳ８５のＮＯルート）、ステップＳ８５に戻って、端末間通信制御部２０１は、接続依頼の受信を待機する。
【００７８】
端末間通信制御部２０１が、携帯電話１０から端末間通信ポート２４の接続依頼を受信した場合（ステップＳ８５のＹＥＳルート）、ステップＳ８６において、ノートブックＰＣ２０の端末間通信制御部２０１は、端末間接続可能であるかどうかの応答を送信する。ノートブックＰＣ２０が端末間接続可能ではない場合（ステップＳ８６のＮＯルート）、処理を終了する。
【００７９】
一方、ステップＳ８６においてノートブックＰＣ２０が端末間接続可能である場合（ステップＳ８６のＹＥＳルート）、ステップＳ８８において、ノートブックＰＣ２０の端末間通信制御部２０１は、親端末である携帯電話１０に対して、端末間通信ポート１４，２４を介した接続を行なう。
ステップＳ８９において、ノートブックＰＣ２０の端末間通信制御部２０１は、携帯電話１０と端末間通信ポート１４，２４間の接続を確立できたかどうかを判定する。携帯電話１０と端末間通信ポート１４，２４間の接続を確立できなかった場合（ステップＳ８９のＮＯルート）、端末間通信制御部２０１は、ステップＳ８８に戻って端末間通信ポート１４，２４間の接続を再試行する。
【００８０】
一方、ステップＳ８９において携帯電話１０と端末間通信ポート１４，２４間の接続を確立できた場合（ステップＳ８９のＹＥＳルート）、ステップＳ９０において、ノートブックＰＣ２０のＳＩＭ情報送受信部２０２は、端末間通信ポート２４を介して、携帯電話１０からＳＩＭ情報を受信する。ノートブックＰＣ２０のＳＩＭ情報送受信部２０２は、受信したＳＩＭカード情報を、ノートブックＰＣ２０のＳＩＭカード２２内に書き込む。
【００８１】
次に、ステップＳ９２において、ノートブックＰＣ２０の通信移動部２０３は、ＳＩＭカード２２を活性化して、無線ＷＡＮ基地局４０との無線ＷＡＮ通信を開始する。
次に、ステップＳ９３において、ノートブックＰＣ２０のデータ処理部２０４は、無線ＷＡＮ基地局４０から動画を受信し、動画を再生して、処理を終了する。
このように、無線ＷＡＮ基地局４０との接続は最初は親端末で行なう。通信する端末を変更したい場合、変更先端末のＳＩＭカードを活性化にし、元の端末のＳＩＭカードを不活性化する。これにより、通信可能端末を切り換えることができる。
【００８２】
上記の実施形態によれば、以下の少なくともいずれか１つの作用効果が得られる。
（１）ＳＩＭカードの情報を情報端末間で使い回すことにより、煩雑なＳＩＭカードの抜き差しを行なうことなく、通信を切り替えることができる。
（２）情報端末においてデータの種類を識別して通信を行なう情報端末を自動的に切り替えことができ、ユーザにとって便利なシステムを提供することができる。
【００８３】
（３）サイズの大きなデータを帯域幅の大きなネットワークで通信することにより、通信速度を高速化できる。
（４）処理の負荷の高いデータを、処理能力の高い情報端末で処理させることにより、処理を高速化できる。
（５）複数台の情報端末を使用しつつ、１つのＳＩＭカードの利用料金のみが課金されるため、コストを低減することができる。
Ｂ．その他
上記の実施形態においては、親端末が携帯電話であり、子端末がＰＣである場合を例に挙げて説明したが、親端末と子端末とは、無線ＷＡＮ通信機能と端末間通信機能とをそなえた電子機器であれば、どのような電子装置でもよい。また、その切替の組み合わせは携帯電話１０やＰＣ２０に限定されず、広域通信を行なうことが可能な端末であれば、どのような組み合わせも可能である。
【００８４】
このような端末の組み合わせの例を図１０に示す。
図１０は示す例においては、携帯電話１０、ノートブックＰＣ２０、電子ブックリーダー３００およびスレートタイプＰＣ３０１が図示されている。
これらの間で、相互に、親端末と子端末のペアを形成することができる。
また、端末毎に無線通信帯域が異なる場合（例えば、一方の端末がＧＳＭ方式で無線通信する携帯電話１０であり、もう一方の端末がＬＴＥ方式で無線通信するＰＣ２０である場合など）、帯域性能差を利用したサービスを創出することも可能となる。
【００８５】
また、上記の実施形態を子端末の台数が１台である例を挙げて説明したが、子端末の台数は１台に限らず、同一種類の複数台の子端末を使用しても、種類の異なる複数台の子端末を使用してもよい。
また、上記の実施形態においては、携帯電話（親端末）との無線ＷＡＮ通信がＧＳＭ方式であり、ＰＣ（子端末）との無線ＷＡＮ通信がＬＴＥ方式である場合を例に挙げて説明したが、無線ＷＡＮ通信の通信規格はこれらに限られない。無線ＷＡＮ基地局が対応している通信方式であれば、どのような通信規格でも使用することもできる。
【００８６】
また、上記の実施形態においては、端末間通信の通信規格としてＢｌｕｅｔｏｏｔｈを例に挙げて説明したが、ほかの端末間通信の通信規格を使用してもよい。例えば、ＩＥＥＥ８０２．１１規格のいずれかに準拠した無線ローカルエリアネットワーク（ＬＡＮ）通信を使用してもよい。
また、上記の実施形態においては、受信データの種類に応じて親子端末間で通信を切り替えるが、他の条件に応じてデータの種類に応じて親子端末間で通信を切り替えてもよい。例えば、受信データのサイズが所定の閾値を超える場合に、親端末から子端末に通信を切り替えてもよい。
【００８７】
また、上記の実施形態においては、データの受信時に親子端末間で通信を切り替えているが、データの送信時、あるいは双方向のデータ通信時に、親子端末間で通信を切り替えてもよい。  上記の実施形態によれば、１つのＳＩＭ情報を用いて複数の情報端末で無線ＷＡＮ通信を行なうことができるため、通信事業者に基本料金を何重にも支払うことなく、以下のような運用が可能となる。従来、このような運用を行なうには、携帯電話用のＳＩＭ情報と、ＰＣの無線ＷＡＮ通信カード用のＳＩＭ情報とを必要とし、各ＳＩＭ情報に対してそれぞれ基本料金を支払う必要があった。
（ａ）携帯電話１０で音声データやテキストデータを受信させ、ＰＣ２０で、動画データや、処理負荷の高い地図情報などのリッチコンテンツを受信させる。例えば、ゲーム等において画像データのような処理負荷の高いデータをＰＣ２０で再生し、その音声を携帯電話１０で聞く。
（ｂ）カメラ機能付きの携帯電話１０で写真を撮影し、無線ＷＡＮ基地局経由でＰＣ２０に写真データをアップロードすることにより、ＰＣ２０をストレージ替わりに使用できる。その際、写真撮影と同時にＰＣ２０に写真データがアップロードされる。
（ｃ）携帯電話１０で検索を行なう際に、特定のキーワードや特定の容量のデータが検索結果に出現した場合、その検索結果がＰＣ２０に自動的に送信され表示されるように設定する。
（ｄ）出張先で使用するプレゼンデータをＰＣ２０で作成し、そのデータを会社のサーバに保存する。帰宅途中の電車内で、携帯電話１０を使用してプレゼンデータに軽微な修正を行ない、修正したプレゼンデータを会社のサーバにアップロードする。
【００８８】
なお、上述した実施形態に関わらず、本実施形態の趣旨を逸脱しない範囲で種々変形して実施することができる。
例えば、端末間無線通信は、Ｂｌｕｅｔｏｏｔｈや無線ＬＡＮに限定されない。
【符号の説明】
【００８９】
１      システム
１０    携帯電話（電子装置；第１の電子装置）
１１    無線ＷＡＮ通信部回路（第１の通信部）
１２    ＳＩＭカード（第１の記憶部）
１４    端末間通信ポート（第２の通信部）
１５    ＣＰＵ
１６    メモリ
１７    Ｉ／Ｏインタフェース
１８    無線ＷＡＮアンテナ
２０    ＰＣ（電子装置；第２の電子装置）
２１    無線ＷＡＮモジュール（第３の通信部）
２２    ＳＩＭカード（第２の記憶部）
２４    端末間通信ポート（第４の通信部）
２５    ＣＰＵ
２６    メモリ
２７    Ｉ／Ｏインタフェース
２８    無線ＷＡＮアンテナ
２９    ＨＤＤ
４０    無線ＷＡＮ基地局
５２    音声データ
５３    動画データ
１０１  データ処理部
１０２  移動判定部（判定部）
１０３  端末間通信制御部
１０４  ＳＩＭ情報送受信部（利用者情報送信部）
１０５  通信移動部（移行部）
２０１  端末間通信制御部
２０２  ＳＩＭ情報送受信部（利用者情報受信部）
２０３  通信移動部
２０４  データ処理部（受信処理部）
２０５  移動判定部
【図１】
2013011558.tif 000003
【図２】
2013011558.tif 000004
【図３】
2013011558.tif 000005
【図４】
2013011558.tif 000006
【図５】
2013011558.tif 000007
【図６】
2013011558.tif 000008
【図７】
2013011558.tif 000009
【図８】
2013011558.tif 000010
【図９】
2013011558.tif 000011
【図１０】
2013011558.tif 000012
【図１１】
2013011558.tif 000013
【手続補正書】
【提出日】平成26年3月11日(2014.3.11)
【手続補正１】
【補正対象書類名】特許請求の範囲
【補正対象項目名】全文
【補正方法】変更
【補正の内容】
【特許請求の範囲】
【請求項１】
第１の電子装置と第２の電子装置とをそなえるシステムであって、
前記第１の電子装置が、
利用者情報を用いてネットワークに通信可能に接続する第１の通信部と、
前記第２の電子装置と通信可能に接続する第２の通信部と、
前記第１の通信部による前記ネットワークを介したデータ取得に際して、当該データに基づいて、当該データの取得を前記第２の電子装置により行なうべきか否かを判定する判定部と、
前記判定部が、当該データの取得を前記第２の電子装置により行なうべきであると判定した場合に、前記第２の通信部を介して前記第２の電子装置に前記利用者情報を送信する利用者情報送信部と、
前記第１の通信部による前記ネットワークとの通信を抑止するとともに、前記第２の電子装置に、前記利用者情報を用いて前記ネットワークを介して前記データの取得を行なわせる移行部とをそなえ、
前記第２の電子装置が、
前記利用者情報を用いて前記ネットワークに通信可能に接続する第３の通信部と、
前記第１の電子装置と通信可能に接続する第４の通信部と、
前記利用者情報送信部によって送信される前記利用者情報を受信する利用者情報受信部と、
前記利用者情報を用いて前記ネットワークを介して前記データを取得する受信処理部と、
をそなえることを特徴とするシステム。
【請求項２】
利用者情報を用いてネットワークに通信可能に接続する第１の通信部と、
第２の電子装置と通信可能に接続する第２の通信部と、
前記第１の通信部による前記ネットワークを介したデータ取得に際して、当該データに基づいて、当該データの取得を前記第２の電子装置により行なうべきか否かを判定する判定部と、
前記判定部が、当該データの取得を前記第２の電子装置により行なうべきであると判定した場合に、前記第２の通信部を介して前記第２の電子装置に前記利用者情報を送信する利用者情報送信部と、
前記第１の通信部による前記ネットワークとの通信を抑止するとともに、前記第２の電子装置に、前記利用者情報を用いて前記ネットワークを介して前記データの取得を行なわせる移行部と、
をそなえることを特徴とする電子装置。
【請求項３】
前記利用者情報を記憶する第１の記憶部をそなえ、
前記移行部が、前記第２の電子装置に前記利用者情報を用いて前記データの取得を行なわせる際に、前記第１の記憶部の前記利用者情報を無効化することを特徴とする、
請求項２記載の電子装置。
【請求項４】
前記判定部が、前記データの種類に基づいて、前記データの取得を前記第２の電子装置により行なうべきか否かを判定することを特徴とする、
請求項２又は３記載の電子装置。
【請求項５】
前記第２の通信部が、端末間無線通信を行なうことを特徴とする、
請求項２〜４のいずれか１項記載の電子装置。
【請求項６】
前記第１の通信部による前記ネットワークとの通信帯域幅よりも、前記第２の電子装置と前記ネットワークとの通信帯域幅のほうが広いことを特徴とする、
請求項２〜５のいずれか１項記載の電子装置。
【請求項７】
利用者情報を用いてネットワークに通信可能に接続する第３の通信部と、
第１の電子装置と通信可能に接続する第４の通信部と、
前記第１の電子装置から送信される前記利用者情報を受信する利用者情報受信部と、
前記利用者情報を用いて前記ネットワークを介してデータを取得する受信処理部と、
をそなえることを特徴とする電子装置。
【請求項８】
第１の電子装置と第２の電子装置とをそなえるシステムにおける通信方法であって、
利用者情報を用いて前記第１の電子装置によってネットワークからデータを取得し、
前記データの取得に際して、当該データに基づいて、当該データの取得を前記第２の電子装置により行なうべきか否かを判定し、
当該データの取得を前記第２の電子装置により行なうべきであると判定した場合に、前記第１の電子装置から前記第２の電子装置に前記利用者情報を送信し、
前記第１の通信部による前記ネットワークとの通信を抑止するとともに、前記第２の電子装置に、前記利用者情報を用いて前記ネットワークを介して前記データの取得を行なわせる、
ことを特徴とする通信方法。
【請求項９】
前記第２の電子装置に前記利用者情報を用いて前記データの取得を行なわせる際に、前記第１の電子装置の前記利用者情報を無効化することを特徴とする、
請求項８記載の通信方法。
【手続補正２】
【補正対象書類名】明細書
【補正対象項目名】００５４
【補正方法】変更
【補正の内容】
【００５４】
上記の通信制御部１３、移動判定部１０２、端末間通信制御部１０３、ＳＩＭ情報送受信部１０４、及び通信移動部１０５の機能は、ＰＣ２０のメモリ２６に格納されているプログラムを、ＰＣ２０のＣＰＵ２５が読み出して実行することにより実現される。
次に、図４（ａ），（ｂ）〜図５を参照して、本システム１において携帯電話１０からＰＣ２０へ無線ＷＡＮ通信を移動する例を示す。ここでは、「無線ＷＡＮ通信を移動する」とは、ＳＩＭカードの抜き差しを行なうことなく、１つのＳＩＭカードの利用者情報（ＳＩＭ情報）を使用して、無線ＷＡＮ通信を行なう端末を親子端末間で切り替えることを指す。
【手続補正３】
【補正対象書類名】明細書
【補正対象項目名】００５７
【補正方法】変更
【補正の内容】
【００５７】
この操作が、携帯電話１０の移動判定部１０２によって検出される。
次に、図４（ｂ）に示すように、携帯電話１０の端末間通信制御部１０３により、携帯電話１０の端末間通信ポート１４と、ＰＣ２０の端末間通信ポート２４とが接続される。
そして、携帯電話１０のＳＩＭ情報送受信部１０４は、自身のＳＩＭカード１２のＳＩＭ情報を、ＰＣ２０のＳＩＭカード２２に送信する。そして、送信されたＳＩＭ情報を、ＰＣ２０のＳＩＭ送受信部２０２が受信して、ＳＩＭカード２２に書き込む。
【手続補正４】
【補正対象書類名】明細書
【補正対象項目名】００８８
【補正方法】変更
【補正の内容】
【００８８】
なお、上述した実施形態に関わらず、本実施形態の趣旨を逸脱しない範囲で種々変形して実施することができる。
例えば、端末間無線通信は、Ｂｌｕｅｔｏｏｔｈや無線ＬＡＮに限定されない。
Ｃ．付記
以上の実施形態に関し、さらに以下の付記を開示する。
（付記１）
第１の電子装置と第２の電子装置とをそなえるシステムであって、
前記第１の電子装置が、
利用者情報を用いてネットワークに通信可能に接続する第１の通信部と、
前記第２の電子装置と通信可能に接続する第２の通信部と、
前記第１の通信部による前記ネットワークを介したデータ取得に際して、当該データに基づいて、当該データの取得を前記第２の電子装置により行なうべきか否かを判定する判定部と、
前記判定部が、当該データの取得を前記第２の電子装置により行なうべきであると判定した場合に、前記第２の通信部を介して前記第２の電子装置に前記利用者情報を送信する利用者情報送信部と、
前記第１の通信部による前記ネットワークとの通信を抑止するとともに、前記第２の電子装置に、前記利用者情報を用いて前記ネットワークを介して前記データの取得を行なわせる移行部とをそなえ、
前記第２の電子装置が、
前記利用者情報を用いて前記ネットワークに通信可能に接続する第３の通信部と、
前記第１の電子装置と通信可能に接続する第４の通信部と、
前記利用者情報送信部によって送信される前記利用者情報を受信する利用者情報受信部と、
前記利用者情報を用いて前記ネットワークを介して前記データを取得する受信処理部と、
をそなえることを特徴とするシステム。
（付記２）
前記第１の電子装置が、前記利用者情報を記憶する第１の記憶部をそなえ、
前記移行部が、前記第２の電子装置に前記利用者情報を用いて前記データの取得を行なわせる際に、前記第１の記憶部の前記利用者情報を無効化することを特徴とする、
付記１記載のシステム。
（付記３）
前記第２の通信装置が受信した前記利用者情報を記憶する第２の記憶部をそなえ、
前記受信処理部による前記データ取得終了後に、前記第１の電子装置に対して通知を行なうとともに、前記第２の記憶部の前記利用者情報を無効化することを特徴とする、
付記１又は２記載のシステム。
（付記４）
前記判定部が、前記データの種類に基づいて、前記データの取得を前記第２の電子装置により行なうべきか否かを判定することを特徴とする、
付記１〜３のいずれか１項記載のシステム。
（付記５）
前記第２の通信部と前記第４の通信部とが端末間無線通信を行なうことを特徴とする、
付記１〜４のいずれか１項記載のシステム。
（付記６）
前記第１の通信部による前記ネットワークとの通信帯域幅よりも、前記第３の通信部による前記ネットワークとの通信帯域幅のほうが広いことを特徴とする、
付記１〜５のいずれか１項記載のシステム。
（付記７）
利用者情報を用いてネットワークに通信可能に接続する第１の通信部と、
第２の電子装置と通信可能に接続する第２の通信部と、
前記第１の通信部による前記ネットワークを介したデータ取得に際して、当該データに基づいて、当該データの取得を前記第２の電子装置により行なうべきか否かを判定する判定部と、
前記判定部が、当該データの取得を前記第２の電子装置により行なうべきであると判定した場合に、前記第２の通信部を介して前記第２の電子装置に前記利用者情報を送信する利用者情報送信部と、
前記第１の通信部による前記ネットワークとの通信を抑止するとともに、前記第２の電子装置に、前記利用者情報を用いて前記ネットワークを介して前記データの取得を行なわせる移行部と、
をそなえることを特徴とする電子装置。
（付記８）
前記利用者情報を記憶する第１の記憶部をそなえ、
前記移行部が、前記第２の電子装置に前記利用者情報を用いて前記データの取得を行なわせる際に、前記第１の記憶部の前記利用者情報を無効化することを特徴とする、
付記７記載の電子装置。
（付記９）
前記判定部が、前記データの種類に基づいて、前記データの取得を前記第２の電子装置により行なうべきか否かを判定することを特徴とする、
付記７又は８記載の電子装置。
（付記１０）
前記第２の通信部が、端末間無線通信を行なうことを特徴とする、
付記７〜９のいずれか１項記載の電子装置。
（付記１１）
前記第１の通信部による前記ネットワークとの通信帯域幅よりも、前記第２の電子装置と前記ネットワークとの通信帯域幅のほうが広いことを特徴とする、
付記７〜１０のいずれか１項記載の電子装置。
（付記１２）
利用者情報を用いてネットワークに通信可能に接続する第３の通信部と、
第１の電子装置と通信可能に接続する第４の通信部と、
前記第１の電子装置から送信される前記利用者情報を受信する利用者情報受信部と、
前記利用者情報を用いて前記ネットワークを介してデータを取得する受信処理部と、
をそなえることを特徴とする電子装置。
（付記１３）
受信した前記利用者情報を記憶する第２の記憶部をそなえ、
前記受信処理部による前記データ取得終了後に、前記第１の電子装置に対して通知を行なうとともに、前記第２の記憶部の前記利用者情報を無効化することを特徴とする、
付記１２記載の電子装置。
（付記１４）
第１の電子装置と第２の電子装置とをそなえるシステムにおける通信方法であって、
利用者情報を用いて前記第１の電子装置によってネットワークからデータを取得し、
前記データの取得に際して、当該データに基づいて、当該データの取得を前記第２の電子装置により行なうべきか否かを判定し、
当該データの取得を前記第２の電子装置により行なうべきであると判定した場合に、前記第１の電子装置から前記第２の電子装置に前記利用者情報を送信し、
前記第１の通信部による前記ネットワークとの通信を抑止するとともに、前記第２の電子装置に、前記利用者情報を用いて前記ネットワークを介して前記データの取得を行なわせる、
ことを特徴とする通信方法。
（付記１５）
前記第２の電子装置に前記利用者情報を用いて前記データの取得を行なわせる際に、前記第１の電子装置の前記利用者情報を無効化することを特徴とする、
付記１４記載の通信方法。
（付記１６）
前記データ取得終了後に、前記第１の電子装置に対して通知を行なうとともに、前記第２の電子装置の前記利用者情報を無効化することを特徴とする、
付記１４又は１５記載の通信方法。
（付記１７）
前記判定が、前記データの種類に基づいて、前記データの取得を前記第２の電子装置により行なうべきか否かを判定することを特徴とする、
付記１４〜１６のいずれか１項記載の通信方法。
（付記１８）
端末間無線通信により前記第１の電子装置から前記第２の電子装置に前記利用者情報を送信することを特徴とする、
付記１４〜１７のいずれか１項記載の通信方法。
（付記１９）
前記第１の電子装置と前記ネットワークとの通信帯域幅よりも、前記第２の電子装置と前記ネットワークとの通信帯域幅のほうが広いことを特徴とする、
付記１４〜１８のいずれか１項記載の通信方法。
（付記２０）
電子装置によって実行されたときに、前記電子装置に、
利用者情報を用いてネットワークに通信可能に接続させ、
前記ネットワークを介したデータ取得に際して、当該データに基づいて、当該データの取得を第２の電子装置により行なうべきか否かを判定させ、
当該データの取得を前記第２の電子装置により行なうべきであると判定した場合に、端末間通信を介して前記第２の電子装置に前記利用者情報を送信させ、
前記電子装置と前記ネットワークとの通信を抑止するとともに、前記第２の電子装置に、前記利用者情報を用いて前記ネットワークを介して前記データの取得を行なわせる、
ことを特徴とする通信プログラム。

【国際調査報告】
2013011558.tif 000014
2013011558.tif 000015
2013011558.tif 000016